(57)【特許請求の範囲】
【請求項１】
ダクト接続対象から突出したダクト接続筒に通気ダクトを接続するダクト接続構造に於いて、
両端が前記通気ダクトと前記ダクト接続筒の接続側端部に各別に嵌合される中継筒を具備し、
前記中継筒と前記ダクト接続筒の外周には、これら中継筒とダクト接続筒が嵌合した状態でこれら両筒の軸方向に重なり合う中継筒側フランジと接続筒側フランジが各別に周設されており、
重なり合った前記中継筒側フランジと接続筒側フランジを一体的に挟むようにこれら両フランジに外嵌するフランジ止め具を具備し、
前記軸方向に重なり合う中継筒側フランジと接続筒側フランジは、嵌入凹部を備えたフランジとこの嵌入凹部に軸線方向に嵌入するフランジであり、
前記嵌入凹部の内周には、該嵌入凹部に軸線方向に嵌入するフランジの外周が圧接される仮止め用リブが隆起しており、
前記圧接により、前記嵌入凹部にフランジが嵌入状態で仮結合されることを特徴とする、ダクト接続構造。
【請求項２】
請求項１に記載のダクト接続構造に於いて、
前記フランジ止め具は、
前記ダクト接続筒と前記中継筒の嵌合部の外周に外嵌する略Ｃ状の弾性バンドであり、
前記弾性バンドの周方向の両端を除く領域の一部又は全部には、前記重なり状態にある中継筒側フランジと接続筒側フランジに一括して外嵌するスリットが形成されている、ダクト接続構造。
【請求項３】
請求項２に記載のダクト接続構造に於いて、
前記弾性バンドの周方向の中央には、前記接続筒側フランジ及び前記中継筒側フランジの高さより高い突出部が屈曲形成されており、
前記突出部の先端域には前記スリットが形成されていない、ダクト接続構造。
【発明の詳細な説明】
【技術分野】
【０００１】
本発明は、空気調和機等の本体に排気ダクトや給気ダクト等の通気ダクトを接続する通気ダクト接続構造に関するものである。
【背景技術】
【０００２】
浴室の天井裏等に設置して浴室や脱衣室の暖房や換気を行なう空気調和機が知られている。
この種空気調和機は、浴室や脱衣室の天井に開設された器具設置口の上方の天井裏に本体を設置し、前記器具設置口を塞ぐように天井面にグリル板を配設する構成となっており、本体内部に設けられた熱交換器とファンで浴室等の空気を循環加熱したり、又、浴室等の空気を排気ダクトを介して外部へ排出する機能を有している。このため、上記本体に突設されたダクト接続筒には、前記排気ダクトや吸気ダクト等の通気ダクトが接続される。
【０００３】
前記本体に通気ダクトを接続するダクト接続作業は、該本体に突設されたダクト接続筒に通気ダクトを外嵌してその外周を粘着テープや締結バンド等で固定することにより行なわれるが、かかる作業は、浴室等の天井に形成された点検口から差し込んだ作業者の腕を前記ダクト接続筒の部位まで伸ばしながら行なわれる。
【特許文献１】特開２０００−５５３９２号公報
【発明の開示】
【発明が解決しようとする課題】
【０００４】
しかしながら、天井を高くして開放的な住空間を確保する建築上の要請から、天井裏を狭く設計する傾向がある。従って、前記通気ダクトの接続部に粘着テープの巻回や締結バンドの装着を伴う前記ダクト接続作業を前記狭い天井裏で行なうことは極めて困難であり、通気ダクトの接続を容易にする技術が望まれていた。
【０００５】
本発明は、かかる点に鑑みて成されたもので、
『ダクト接続対象から突出したダクト接続筒に通気ダクトを接続するダクト接続構造』に於いて、天井裏等の狭い作業空間であっても容易にダクト接続作業が行えるようにすることを課題とする。
【課題を解決するための手段】
【０００６】
(１)請求項１に係る発明
上記課題を解決するための請求項１に係る発明の技術的手段は、
『両端が前記通気ダクトと前記ダクト接続筒の接続側端部に各別に嵌合される中継筒を具備し、
前記中継筒と前記ダクト接続筒の外周には、これら中継筒とダクト接続筒が嵌合した状態でこれら両筒の軸方向に重なり合う中継筒側フランジと接続筒側フランジが各別に周設されており、
重なり合った前記中継筒側フランジと接続筒側フランジを一体的に挟むようにこれら両フランジに外嵌するフランジ止め具を具備し、
前記軸方向に重なり合う中継筒側フランジと接続筒側フランジは、嵌入凹部を備えたフランジとこの嵌入凹部に軸線方向に嵌入するフランジであり、
前記嵌入凹部の内周には、該嵌入凹部に軸線方向に嵌入するフランジの外周が圧接される仮止め用リブが隆起しており、
前記圧接により、前記嵌入凹部にフランジが嵌入状態で仮結合される』ことである。
ここで、「一体的に挟む」とは、重ね合わせ状態にある両フランジに対して、フランジ止め具をルーズに外嵌する場合と、これら両フランジを挟圧状態に挟む場合の両者を含む概念である。
【０００７】
上記技術的手段の作用を、天井裏に設置されたダクト接続対象に通気ダクトを接続する場合を例示しながら説明する。
狭い天井裏に設置されたダクト接続対象に通気ダクトを接続する場合は、先ず、通気ダクトの接続側端部に中継筒を嵌合する準備作業を行なう。
このため、天井に形成された点検口の下方の広い作業場所で、通気ダクトの接続側端部に中継筒を嵌合接続して該接続部を粘着テープや締結バンド等で固定する。この場合、前記粘着テープ等で固定する作業は、狭い天井裏ではなく、天井下方の前記広い作業場所で容易に行なうことができる。
【０００８】
次に、前記中継筒が取り付けられた通気ダクトの接続側端部を、天井に形成された点検口から天井裏に入れ込み、前記中継筒を、天井裏に設置されたダクト接続対象から突出したダクト接続筒に嵌合させる。
この際、前記軸方向に重なり合う中継筒側フランジと接続筒側フランジは、嵌入凹部を備えたフランジとこの嵌入凹部に軸線方向に嵌入するフランジであり、前記嵌入凹部の内周には、該嵌入凹部に軸線方向に嵌入するフランジの外周が圧接される仮止め用リブが隆起しており、前記圧接により、前記嵌入凹部にフランジが嵌入状態で仮結合され、これら両筒の外周に設けられた接続筒側フランジと中継筒側フランジが軸方向に重なった状態になる。
【０００９】
そこで、重なり合った中継筒側フランジと接続筒側フランジに対して、これらフランジを重ね合わせ方向から一体的に挟むようにフランジ止め具を外嵌すると、中継筒とダクト接続筒が抜け止め状態に結合される。これにより、通気ダクトが中継筒とダクト接続筒を介してダクト接続対象に接続される。
【００１０】
このように、請求項１に係る発明によれば、中継筒を通気ダクトの接続側端部に嵌合接続して粘着テープ等で固定する作業が狭い天井裏でなく、天井下方の前記広い作業場所で行なえる。又、狭い天井裏での作業時には、重なり合った中継筒側フランジと接続筒側フランジにフランジ止め具を外嵌させるだけで中継筒とダクト接続筒が結合される。従って、既述従来のようにダクト接続筒と通気ダクトの接続部に粘着テープを巻回等する煩雑な作業を狭い天井裏で行なう必要がなく、ダクト接続作業が容易に行なえる。
【００１１】
(２)請求項２に係る発明
請求項１に係る発明に於いて、
『前記フランジ止め具は、
前記ダクト接続筒と前記中継筒の嵌合部の外周に外嵌する略Ｃ状の弾性バンドであり、
前記弾性バンドの周方向の両端を除く領域の一部又は全部には、前記重なり状態にある中継筒側フランジと接続筒側フランジに一括して外嵌するスリットが形成されている』ものとすれば、略Ｃ状の弾性バンドをダクト接続筒と中継筒の嵌合部の外周に外嵌すると、該弾性バンドに形成されたスリットが、重ね合わせ状態にある中継筒側フランジと接続筒側フランジに外嵌する。これにより、中継筒とダクト接続筒が抜け止め状態に結合される。
【００１２】
(３)請求項３に係る発明
請求項２に係る発明に於いて、
『前記弾性バンドの周方向の中央には、前記接続筒側フランジ及び前記中継筒側フランジの高さより高い突出部が屈曲形成されており、
前記突出部の先端域には前記スリットが形成されていない』ものでは、突出部にはスリットが形成されていないから、両端部を除く全域にスリットが形成されたものに比べて、弾性バンドの強度向上が図れる。又、前記突出部を把持して弾性バンドを装着部から取り外すことができ、該弾性バンドの取り扱いが容易になる。
【発明の効果】
【００１９】
本願発明は次の特有の効果を有する。
中継筒を通気ダクトの接続側端部に嵌合接続して粘着テープ等で固定する作業が作業し易い広い場所で行なえる。又、天井裏等の狭い作業空間での作業時には、中継筒側フランジと接続筒側フランジを重ね合わせる作業が容易に行える。即ち、軸方向に重なり合う中継筒側フランジと接続筒側フランジは、嵌入凹部を備えたフランジとこの嵌入凹部に軸線方向に嵌入するフランジであり、前記嵌入凹部の内周には、該嵌入凹部に軸線方向に嵌入するフランジの外周が圧接される仮止め用リブが隆起しており、前記圧接により、前記嵌入凹部にフランジが嵌入状態で仮結合されるので、中継筒がダクト接続筒から不用意に脱落しない仮結合状態になるから、重なり合った中継筒側フランジと接続筒側フランジにフランジ止め具を外嵌させる作業が行い易い。そして、中継筒側フランジと接続筒側フランジの重なり部にフランジ止め具を外嵌させるだけで中継筒とダクト接続筒が結合される。従って、既述従来のようにダクト接続筒と通気ダクトの接続部に粘着テープを巻回等する煩雑な作業を天井裏等の狭い作業空間で行なう必要がなく、ダクト接続作業が容易に行なえる。
【発明を実施するための最良の形態】
【００２１】
以下に、本発明を実施するための最良の形態について添付図面を参照しながら説明する。
《第１実施形態》
図１は、浴室(A)の天井裏に設置して該浴室(A)や脱衣室(B)、更にトイレ(C)の換気や暖房を行なう空気調和システムの配管系統を説明する概略図である。
【００２２】
浴室(A)の天井裏にはダクト接続対象たる空気調和機の本体(1)が配設されていると共に、該本体(1)の下面開口は、浴室(A)の天井に開設された器具設置口を覆うようにセットされており、該下面開口を介して浴室(A)内の暖房や換気等が行なえるようになっている。
【００２３】
本体(1)の側壁にはダクト接続筒(11)〜(14)が突出していると共に、該ダクト接続筒(11)〜(14)には、脱衣室(B)やトイレ(C)に繋がる蛇腹筒状の柔軟な通気ダクト(21)〜(24)が各別に接続されている。
【００２４】
上記本体(1)への通気ダクト(21)〜(24)の接続作業は、浴室(A)の天井に開設された点検口(A1)を介して浴室(A)内から行なわれるが、上記本体(1)への通気ダクト(21)〜(24)の接続作業は全て同じ手法で行なわれるので、以下に於いては、通気ダクト(21)の接続作業のみを例示的に説明する。
【００２５】
図２は、空気調和機の本体(1)に於けるダクト接続部の分解斜視図である。
ダクト接続対象たる本体(1)の側壁には、ダクト接続筒(4)の基端部に連設された取付ベース(41)がビス(48)(48)で固定されていると共に、上記ダクト接続筒(4)には中継筒(5)やフランジ止め具(8)を介して通気ダクト(21)が接続されるようになっている。以下、各部の詳細を説明する。
【００２６】
[ダクト接続筒(4)について]
図２，図３に示すように、円筒状に形成されたダクト接続筒(4)の軸線方向の中程の外周には接続筒側フランジ(42)が張り出していると共に、該接続筒側フランジ(42)の外周の取付けベース(41)側の外周縁は切除されて段落ち部(43)が形成されている。
【００２７】
上記接続筒側フランジ(42)に於ける前記段落ち部(43)の反対側の面には、接続部の気密性を確保する為の環状パッキン(44)が添設されている。又、ダクト接続筒(4)の接続筒側フランジ(42)の前記環状パッキン(44)配設側から前方の領域は大径筒部(45)と小径筒部(46)が順次前方に連続している。
【００２８】
[中継筒(5)について]
円筒状の中継筒(5)はダクト接続筒(4)に外嵌させる大径筒部(56)とこれに続く小径筒部(57)を具備しており、大径筒部(56)の端部外周には、前記ダクト接続筒(4)の接続筒側フランジ(42)に重ね合わされる中継筒側フランジ(52)が張り出していると共に、該中継筒側フランジ(52)のダクト接続筒(4)側の表面には前記接続筒側フランジ(42)を嵌入させる為の嵌入凹部(53)が形成されており、更に、該嵌入凹部(53)の内周側面には、仮止め用リブ(55)(55)が周方向に所定ピッチで隆起している。そして、仮止め用リブ(55)(55)の各頂部に接する内接円の半径は、接続筒側フランジ(42)の半径より若干小さい寸法に設定されており、これにより、嵌入凹部(53)に嵌入された接続筒側フランジ(42)の外周に仮止め用リブ(55)(55)が圧接されるようになっている。これにより、ダクト接続筒(4)の接続筒側フランジ(42)に中継筒側フランジ(52)の嵌入凹部(53)を外嵌させたときには、前記圧接によって中継筒(5)がダクト接続筒(4)から容易に脱落しない仮結合状態になる。即ち、通気ダクト(21)の重量等によって、中継筒(5)がダクト接続筒(4)から離反する方向に引張られることから、後述のフランジ止め具(8)でダクト接続筒(4)と中継筒(5)が最終的に結合されるまでの間にこれらダクト接続筒(4)と中継筒(5)が分離するのが防止される。
又、中継筒側フランジ(52)に於ける通気ダクト(21)接続側の外周縁は切除されて段落ち部(54)が形成されている。
【００２９】
図３に示すように、大径筒部(56)の内周には、案内リブ(58)(58)が所定角度ピッチで配設されていると共に、各案内リブ(58)(58)はダクト接続筒(4)の小径筒部(46)の外面に当接するようになっている。
又、中継筒(5)の小径筒部(57)には通気ダクト(21)が外嵌接続されるようになっており、該通気ダクト(21)と小径筒部(57)の接続部は粘着テープや締結バンド、更には接着剤等、種々の手法で接続固定される。
【００３０】
[フランジ止め具(8)について]
図２に示すように、ダクト接続筒(4)の接続筒側フランジ(42)と中継筒(5)の中継筒側フランジ(52)の重ね合わせ部に外嵌されるフランジ止め具(8)は、帯状の弾性金属板を略Ｃ状に曲成した弾性バンドであり、ダクト接続筒(4)と中継筒(5)の嵌合部の外周に外嵌する寸法に設定されている。このフランジ止め具(8)には、前記重なり状態にある接続筒側フランジ(42)と中継筒側フランジ(52)に一括して外嵌するスリット(81)が、周方向の両端及び中央部を除く領域に開設されている。
【００３１】
上記フランジ止め具(8)の構造について更に詳述すると、Ｃ字状に曲成されたフランジ止め具(8)の周方向の中央には、接続筒側フランジ(42)や中継筒側フランジ(52)の高さを超える高さの平行突出域(82)(84)が屈曲形成されていると共に、平行突出域(82)(84)の先端相互は水平域(83)を介して連結されており、これら平行突出域(82)(84)及び水平域(83)によって既述発明特定事項たる突出部が形成されている。
【００３２】
フランジ止め具(8)の両端部は外側に鋭角に折り返されて折返し部(85)(86)が形成されており、該折返し部(85)(86)の先端近傍から上記平行突出域(82)(84)の上端近傍に至る範囲に亘ってスリット(81)(81)が形成されている。そして、これらスリット(81)(81)内に、接続筒側フランジ(42)と中継筒側フランジ(52)が重なり合った状態でルーズに嵌入されるようになっている。
【００３３】
このものでは、フランジ止め具(8)の中央の水平域(83)にはスリット(81)が形成されていないから、両端を除く全域に亘ってスリット(81)が形成されている場合に比べ、フランジ止め具(8)の強度向上が図れる。又、フランジ止め具(8)をその装着部から取り外す後述の取外作業時には、平行突出域(82)(84)と水平域(83)から構成される突出部を把持してフランジ止め具(8)を取り外すことができ、該フランジ止め具(8)の取り扱いが容易になる。
【００３４】
[ダクト接続作業の実際]
次に、ダクト接続作業の実際を説明する。
天井裏に設置された本体(1)に通気ダクト(21)を接続するに先立って、予め、通気ダクト(21)に中継筒(5)を接続する準備作業を行なう。
【００３５】
前記準備作業は、点検口(A1)の下方の作業し易い広い場所を利用し、天井裏に配管する前の通気ダクト(21)の先端に中継筒(5)を嵌合接続する。即ち、図２の想像線で示すように、中継筒(5)の小径筒部(57)を通気ダクト(21)の先端に挿入し、その外周を粘着テープや締結バンド等の固定手段で適宜固定する。
【００３６】
次に、中継筒(5)が取り付けられた通気ダクト(21)を浴室(A)の点検口(A1)から天井裏に入れ込む。そして、作業者は、点検口(A1)から狭い天井裏に腕を差し込んで、本体(1)へのダクト接続作業を実行する。具体的には、中継筒(5)の大径筒部(56)をダクト接続筒(4)の先端に外嵌し、これにより、ダクト接続筒(4)の接続筒側フランジ(42)と中継筒(5)の中継筒側フランジ(52)を重ね合わせる。この重ね合わせ時には、ダクト接続筒(4)に形成された段落ち部(43)より先端側の大径フランジ部(420)が、中継筒(5)に周設された中継筒側フランジ(52)の嵌入凹部(53)に嵌入すると共に、該大径フランジ部(420)の外周が前記嵌入凹部(53)の内周に隆起する仮止め用リブ(55)(55)に圧接状態になり、これにより、ダクト接続筒(4)から中継筒(5)が不用意に脱落しない仮結合状態になる。
【００３７】
次に、フランジ止め具(8)を、先端の折返し部(85)(86)側からダクト接続筒(4)中継筒(5)の嵌合部（接続筒側フランジ(42)と中継筒側フランジ(52)の重ね合わせ部）に外嵌させる。即ち、接続筒側フランジ(42)と中継筒側フランジ(52)が、重ね合わせ状態でフランジ止め具(8)の折返し部(85)(86)側からスリット(81)(81)に侵入するように、前記フランジ止め具(8)を強制的に移動させる。
【００３８】
すると、フランジ止め具(8)が直径方向に弾性変形しながら、該フランジ止め具(8)がダクト接続筒(4)と中継筒(5)の嵌合部の外周に外嵌される。そして、この外嵌状態に於いては、図４に示すように、中継筒側フランジ(52)と接続筒側フランジ(42)が重ね合わせ状態で、フランジ止め具(8)のスリット(81)に嵌入した状態になると共に、中継筒側フランジ(52)の段落ち部(54)の底面(522)と接続筒側フランジ(42)の段落ち部(43)の底面(422)にフランジ止め具(8)が乗った状態になる。これにより、通気ダクト(21)を本体(1)に接続するダクト接続作業が完了する。
【００３９】
以上説明したように、本実施の形態では、中継筒(5)を通気ダクト(21)の接続側端部に嵌合接続して粘着テープ等で固定する作業が狭い天井裏でなく、天井下方の前記広い作業場所で行なえる。又、狭い天井裏での作業時には、重なり合った中継筒側フランジ(52)と接続筒側フランジ(42)にフランジ止め具を外嵌させるだけで中継筒(5)とダクト接続筒(4)が結合される。従って、既述従来のようにダクト接続筒と通気ダクトの接続部に粘着テープを巻回等する作業を狭い天井裏で行なう必要がなく、ダクト接続作業が容易に行なえる。
【００４０】
尚、中継筒(5)とダクト接続筒(4)の嵌合部からフランジ止め具(8)を引き抜くときは、該フランジ止め具(8)の周方向の中央部に屈曲突出する突出部（平行突出域(82)(84)及び水平域(83)の集合）を持って該フランジ止め具(8)を強制的に引き抜く。
【００４１】
又、上記実施の形態では、フランジ止め具(8)として略Ｃ状の弾性バンドを採用したが、重ね合わせ状態にある中継筒側フランジ(52)と接続筒側フランジ(42)を一体的に１又は複数のクリップで挟持するようにしてもよい。この場合は、前記クリップが既述発明特定事項たるフランジ止め具(8)に対応する。
【００４２】
又、上記実施の形態では、フランジ止め具(8)の平行突出域(82)(84)相互と繋ぐ水平域(83)にはスリット(81)が形成されていないが、フランジ止め具(8)の両端を除く全域にスリット(81)が形成されているものも、請求項１，２の発明に含まれる。
【図面の簡単な説明】
【００５０】
【図１】浴室の天井裏に設置して該浴室や脱衣室、更にトイレの換気や暖房を行なう空気調和システムの配管系統を説明する概略図
【図２】本発明の実施形態に係るダクト接続構造の分解斜視図
【図３】本発明の実施形態に係るダクト接続構造の分解断面図
【図４】本発明の実施形態に係るダクト接続構造に於ける、ダクト接続状態の斜視図
【符号の説明】
【００５１】
(4)・・・ダクト接続筒
(5)・・・中継筒
(8)・・・弾性バンド
(21)〜(24)・・・通気ダクト
(42)・・・接続筒側フランジ
(52)・・・中継筒側フランジ
(81)・・・スリット
【図１】
0004160478.tif 000002
【図２】
0004160478.tif 000003
【図３】
0004160478.tif 000004
【図４】
0004160478.tif 000005